(57)【要約】【課題】ユーザの関心のある情報を、ユーザの現在の位置にかかわらず、受け続けることのできる技術を提供する。【解決手段】コンテンツ提供システムは、携帯端末と、携帯端末と通信可能なサーバとを備える。サーバは、テーマに対応付けられたコンテンツを記憶する記憶部を備え、携帯端末は少なくとも一つのテーマを受け付け可能な受付部と、受け付けられたテーマに対応付けられたコンテンツをサーバから複数取得する取得部と、取得されたコンテンツに基づいて複数のコンテンツを間断なく再生する再生部とを備える。【選択図】図１
2014021939.tif 000002
【特許請求の範囲】
【請求項１】
携帯端末と、該携帯端末と通信可能なサーバとを備えるコンテンツ提供システムであって、
前記サーバは、テーマに対応付けられたコンテンツを記憶する記憶部を備え、
前記携帯端末は、
少なくとも一つのテーマを受け付け可能な受付部と、
受け付けられた前記テーマに対応付けられたコンテンツを前記サーバから複数取得する取得部と、
取得された前記コンテンツに基づいて複数のコンテンツを間断なく再生する再生部と、を備える、
コンテンツ提供システム。
【請求項２】
請求項１に記載のコンテンツ提供システムであって、
前記記憶部は前記コンテンツとして前記コンテンツの記憶されているアドレスを記憶する、コンテンツ提供システム。
【請求項３】
請求項１または請求項２記載のコンテンツ提供システムであって、
前記記憶部は、前記テーマと前記コンテンツと前記コンテンツに関連した位置情報との対応関係を記憶し、
前記携帯端末は、更に、現在位置を検出する位置検出部を備え、
前記取得部は、前記現在位置に応じた前記コンテンツを取得する、コンテンツ提供システム。
【請求項４】
請求項１から請求項３までのいずれか一の請求項に記載のコンテンツ提供システムであって、
前記サーバは、更に、前記記憶部に記憶された前記コンテンツが更新されたか否かを確認する更新確認部を備え、
前記取得部は、前記コンテンツの更新が確認された場合には、更新された前記コンテンツを優先して取得する、コンテンツ提供システム。
【請求項５】
請求項１から請求項４までのいずれか一の請求項に記載のコンテンツ提供システムであって、
前記受付部は、前記携帯端末のユーザの属性情報の入力を受け付け、
前記取得部は、前記属性情報に対応する前記コンテンツを取得する、コンテンツ提供システム。
【請求項６】
請求項１から請求項５までのいずれか一の請求項に記載のコンテンツ提供システムであって、
前記再生部は、前記コンテンツをテキストまたは音声の少なくとも一方により再生する、コンテンツ提供システム。
【請求項７】
携帯端末であって、
前記携帯端末はテーマに対応するコンテンツを記憶する記憶部を備えるサーバと通信可能であり、
前記コンテンツに対応付けられたた少なくとも一つのテーマを受け付け可能な受付部と、
受け付けられた前記テーマに対応付けられた前記コンテンツを前記サーバから複数取得する取得部と、
前記取得された前記コンテンツに基づいて複数のコンテンツを間断なく再生する再生部と、を備える携帯端末。
【請求項８】
携帯端末と、該携帯端末と通信可能なサーバとを有し、前記携帯端末のユーザにコンテンツを提供する方法であって、
前記サーバは、テーマに対応付けられたコンテンツを記憶する記憶部を有しており、
前記携帯端末は、
前記コンテンツに対応付けられた少なくとも一つのテーマを受け付け、
受け付けられた前記テーマに対応付けられた前記コンテンツを前記サーバから複数取得し、
前記取得された複数の前記コンテンツに基づいてコンテンツを間断なく再生する、コンテンツ提供方法。
【請求項９】
コンテンツの提供を行うためのコンピュータプログラムであって、
コンテンツに対応付けられた少なくとも一つのテーマを受け付ける機能と、
受け付けられた前記テーマに対応付けられた前記コンテンツを前記コンピュータと通信可能なサーバから複数取得する機能と、
前記取得した複数の前記コンテンツに基づいてコンテンツを間断なく再生する機能と、をコンピュータに実現させるコンピュータプログラム。
【発明の詳細な説明】
【技術分野】
【０００１】
本発明は、コンテンツ提供システム、携帯端末およびコンピュータプログラムに関する。
【背景技術】
【０００２】
従来のコンテンツ提供システムとして、例えば、特許文献１には、携帯電話から送信されたメッセージ等の投稿情報を、投稿した地点の位置情報に関連付けてサーバのデータベースに記憶させることで、投稿した地点に訪れた他のユーザが、投稿情報を閲覧することができるシステムが記載されている。
【先行技術文献】
【特許文献】
【０００３】
【特許文献１】特開２００５−２７５９８５号公報
【発明の概要】
【発明が解決しようとする課題】
【０００４】
しかし、特許文献１記載の技術では、投稿が行われた地点の近傍で投稿情報の閲覧を行うことができるものの、他の場所においては、ユーザは情報の閲覧を行うことができなかった。また、ユーザが、関心のあるテーマに関して何らかの情報の提供を受けたいという漠然とした要望をもつ場合には、適当な情報の提供を受けることができるとは限らなかった。従って、ユーザの関心のあるテーマに関する情報を、ユーザの現在の位置にかかわらず、受け続けることのできる技術が望まれていた。その他、従来のコンテンツ提供システムにおいては、例えば、処理負担の軽減や、サーバ装置との通信量の削減などが望まれていた。
【課題を解決するための手段】
【０００５】
本発明は、上述の課題の少なくとも一部を解決するためになされたものであり、以下の形態として実現することが可能である。
【０００６】
（１）本発明の一形態によれば、コンテンツ提供システムが提供される。このコンテンツ提供システムは、携帯端末と、該携帯端末と通信可能なサーバとを備え；前記サーバは、テーマに対応付けられたコンテンツを記憶する記憶部を備え；前記携帯端末は；少なくとも一つのテーマを受け付け可能な受付部と；受け付けられた前記テーマに対応付けられたコンテンツを前記サーバから複数取得する取得部と；取得された前記コンテンツに基づいて複数のコンテンツを間断なく再生する再生部と、を備える。この形態のコンテンツ提供システムによれば、携帯端末は少なくとも一つのテーマを受け付け、そのテーマに対応付けられたコンテンツをサーバから複数取得して、取得されたコンテンツに基づいて放送局のように間断なくコンテンツを再生し続けることができる。そのため、携帯端末のユーザは携帯端末に対してコンテンツの提供を受けるための詳細な設定を行わなくとも、テーマを選択すれば、そのテーマに応じた適切なコンテンツの提供を受け続けることが可能となる。
【０００７】
（２）上記形態のコンテンツ提供システムにおいて、前記記憶部は前記コンテンツとして前記コンテンツの記憶されているアドレスを記憶してもよい。この形態のコンテンツ提供システムによれば、サーバの記憶部に全てのコンテンツを記憶しなくともよいため、サーバの記憶領域を有効に活用することができる。
【０００８】
（３）上記形態のコンテンツ提供システムにおいて、前記記憶部は、前記テーマと前記コンテンツと前記コンテンツに関連した位置情報との対応関係を記憶し；前記携帯端末は、更に、現在位置を検出する位置検出部を備え；前記取得部は、前記現在位置に応じた前記コンテンツを取得してもよい。この形態のコンテンツ提供システムによれば、携帯端末のユーザは、現在位置に応じたコンテンツの提供を受けることが可能となる。
【０００９】
（４）上記形態のコンテンツ提供システムにおいて、前記サーバは、更に、前記記憶部に記憶された前記コンテンツが更新されたか否かを確認する更新確認部を備え；前記取得部は、前記コンテンツの更新が確認された場合には、更新された前記コンテンツを優先して取得してもよい。この形態のコンテンツ提供システムによれば、携帯端末のユーザは、更新されたコンテンツに基づいたコンテンツの提供を他のコンテンツに優先して受けることが可能となる。
【００１０】
（５）上記形態のコンテンツ提供システムにおいて、前記受付部は、前記携帯端末のユーザの属性情報の入力を受け付け；前記取得部は、前記属性情報に対応する前記コンテンツを取得してもよい。この形態のコンテンツ提供システムによれば、携帯端末のユーザは、ユーザの属性情報に応じたコンテンツの提供を受けることが可能となる。
【００１１】
（６）上記形態のコンテンツ提供システムにおいて、前記再生部は、前記コンテンツをテキストまたは音声の少なくとも一方により再生してもよい。この形態のコンテンツ提供システムによれば、携帯端末のユーザは、テキストまたは音声の少なくとも一方によりコンテンツの提供を受けることができる。
【００１２】
（７）本発明の他の形態によれば、携帯端末が提供される。携帯端末はテーマに対応するコンテンツを記憶する記憶部を備えるサーバと通信可能であり；前記コンテンツに対応付けられた少なくとも一つのテーマを受け付け可能な受付部と；受け付けられた前記テーマに対応付けられた前記コンテンツを前記サーバから複数取得する取得部と；前記取得された前記コンテンツに基づいて複数のコンテンツを間断なく再生する再生部と、を備える。この携帯端末によれば、携帯端末のユーザは、ユーザの関心のあるテーマに関するコンテンツの提供を受け続けることが可能となる。
【００１３】
本発明は、コンテンツ提供システム以外の種々の形態で実現することも可能である。例えば、コンテンツ提供方法やコンテンツ提供方法を実現するコンピュータプログラム、そのコンピュータプログラムを記録した一時的でない記録媒体等の形態で実現することができる。
【図面の簡単な説明】
【００１４】
【図１】本発明の一実施形態としてのコンテンツ提供システムの構成を説明するための図である。
【図２】コンテンツ提供処理について説明するためのフローチャートである。
【図３】テーマ受付画面の一例を示す図である。
【図４】再生方法等受付画面の一例を示す図である。
【図５】コンテンツＤＢの一例を示す図である。
【図６】コンテンツ提供処理が実行されている様子の一例を示す図である。
【発明を実施するための形態】
【００１５】
Ａ．実施形態：
Ａ１．システム構成：
図１は、本発明の一実施形態としてのコンテンツ提供システム１０の構成を説明するための図である。コンテンツ提供システム１０は、携帯端末としてのスマートフォン２０と、サーバ５０とを備える。スマートフォン２０とサーバ５０は、互いにインターネットＩＮＴによって接続されている。スマートフォン２０は、通信キャリアＢＳを介して無線によってインターネットＩＮＴに接続可能である。なお、通信キャリアＢＳには、送受信アンテナや、無線基地局、交換局が含まれる。
【００１６】
サーバ５０は、内部にＣＰＵ、ＲＯＭ、ＲＡＭ、ハードディスク等（不図示）のデバイスを備える。サーバ５０は、ＲＯＭに記憶された制御プログラムをＲＡＭに展開して実行することで、制御部５１、通信部５２および更新確認部５３として機能する。本願の記憶部５５としてのハードディスクには、後述するコンテンツデータベース（以下、コンテンツＤＢ５６）と、テーマリストＴＬが記憶されている。
【００１７】
コンテンツＤＢ５６は、コンテンツと各コンテンツのテーマとの対応関係を示すデータベースである。テーマリストＴＬは、コンテンツＤＢ５６に記憶されているテーマの一覧である。「テーマ」とは、対応するコンテンツを総称する名称である。コンテンツＤＢ５６内のコンテンツは、オペレータにより逐次更新される。コンテンツＤＢ５６には、コンテンツとしてコンテンツそのものが記憶されていてもよいし、コンテンツが記憶された他の装置のアドレス（リンク先）が記憶されていてもよい。
【００１８】
通信部５２は、インターネットＩＮＴを介してスマートフォン２０と通信を行う。更新確認部５３は、コンテンツＤＢ５６のコンテンツが更新されたか否かを確認する。
【００１９】
制御部５１は、サーバ５０全体の動作を制御する。制御部５１は、後述のコンテンツ提供処理実行時に、スマートフォン２０から、テーマに対応するコンテンツの指定を受けた際に、コンテンツＤＢ５６からそのテーマに対応するコンテンツを読み出し、通信部５２を介して次々にスマートフォン２０へ送信する。また、制御部５１は、更新確認部５３によりコンテンツの更新が確認された場合には、更新されたコンテンツを、他のコンテンツに優先してスマートフォン２０へ送信する。
【００２０】
次にスマートフォン２０について説明する。スマートフォン２０は、無線ＬＡＮ通信部２０１と、移動体通信網通信部２０２と、音声通信部２０３と、タッチパネル２０４と、表示部２０５と、ＧＰＳ受信機２０７と、ＣＰＵ２１０と、ＲＡＭ２２０と、ＲＯＭ２３０と、フラッシュメモリ２４０と、を備えている。
【００２１】
無線ＬＡＮ通信部２０１は、無線ＬＡＮ規格（ＩＥＥＥ８０２．１１シリーズ）に基づいて、インフラストラクチャやアドホックモードによって外部機器と無線通信を行うための回路である。
【００２２】
移動体通信網通信部２０２は、例えば３Ｇ／ＨＳＰＡに準拠した移動体通信方式により、通信キャリアＢＳとの間で、データ通信や音声通信を行うための回路である。
【００２３】
音声通信部２０３は、音声を出力するためのスピーカや音声を入力するためのマイク、これらを駆動する回路などから構成される。スマートフォン２０は、移動体通信網通信部２０２と音声通信部２０３とを備えることにより電話としても動作する。
【００２４】
表示部２０５は、種々の画像やテキスト等を表示する装置である。タッチパネル２０４は、表示部２０５に重畳して設けられており、指やペンによるユーザからのタッチ操作を受け付ける。タッチパネル２０４は、本願の「受付部」に相当する。
【００２５】
ＧＰＳ受信機２０７は、ＧＰＳ（Ｇｌｏｂａｌ  Ｐｏｓｉｔｉｏｎｉｎｇ  Ｓｙｓｔｅｍ／全地球測位システム）を構成する人工衛星から受信した電波に基づいて、スマートフォン２０（ユーザ）の現在位置（経度・緯度）を測位する。測位された現在位置に関する位置情報は、所定のタイミングでサーバ５０に送信される。ＧＰＳ受信機２０７は、本願の「位置検出部」に相当する。
【００２６】
ＣＰＵ２１０は、ＲＯＭ２３０に記憶された制御プログラムをＲＡＭ２２０に展開して実行することで、取得部２１１および再生部２１２として機能するとともに、スマートフォン２０の各部を制御する。フラッシュメモリ２４０には、タッチパネル２０４を介してユーザにより入力され、受け付けられたテーマが記憶される。取得部２１１は、受け付けられたテーマに対応するコンテンツを、サーバ５０から取得する。再生部２１２は、取得されたコンテンツをテキスト形式で表示部２０５に表示して再生する。また、再生部２１２は、コンテンツを音声に変換して音声通信部２０３のスピーカを用いて再生する。
【００２７】
Ａ２．コンテンツ提供処理：
図２は、コンテンツ提供システム１０により実行されるコンテンツ提供処理について説明するためのフローチャートである。この処理は、スマートフォン２０のユーザに対し、コンテンツを放送局のように間断なく、次々に提供し続けるための処理である。本実施形態では、コンテンツ提供処理は、スマートフォン２０のＲＯＭ２３０に記憶されているプログラムを、ユーザが指定して実行することで開始される。
【００２８】
コンテンツ提供処理が開始されると、まず、スマートフォン２０のＣＰＵ２１０は、サーバ５０に対し、テーマリストＴＬの配信を要求する（ステップＳ１００）。
【００２９】
テーマリストＴＬの配信要求を受信すると（ステップＳ２００：Ｙｅｓ）、サーバ５０の制御部５１は、スマートフォン２０に対し、通信部５２を介して、記憶部５５に記憶されているテーマリストＴＬを配信する（ステップＳ２０１）。
【００３０】
サーバ５０からテーマリストＴＬを取得すると（ステップＳ１０１）、スマートフォン２０のＣＰＵ２１０は、表示部２０５にテーマの入力を受け付けるためのテーマ受付画面ＴＷを表示して、テーマの入力を受け付ける（ステップＳ１０２）。
【００３１】
図３は、テーマ受付画面ＴＷの一例を示す図である。テーマ受付画面ＴＷは、テーマリストＴＬと、キーワード入力フィールドＫＦと、決定ボタンＴＢとを含んでいる。図３には、テーマリストＴＬの中からテーマ「株」が選択されている様子を示している。スマートフォン２０のユーザは、目的や嗜好に応じたテーマがテーマリストＴＬに存在しない場合や、提供を所望するコンテンツが明確である場合には、キーワード入力フィールドＫＦに例えば自分の属性情報を入力できる。属性情報としては、例えば、ユーザの好きなアイドルグループの具体的な名前や、ユーザの居住地や、職業等を入力することができる。例えば、スマートフォン２０のユーザが、テーマ「アイドル」の中の特に「ａｂｃグループ」に関するコンテンツの提供を受けたい場合には、キーワード入力フィールドＫＦに「ａｂｃグループ」と入力する。スマートフォン２０のユーザが、テーマリストＴＬからテーマを選択し、または、キーワード入力フィールドＫＦにキーワードを入力して決定ボタンＴＢを押下すると、スマートフォン２０のＣＰＵ２１０は、選択されたテーマもしくは入力されたキーワードを受け付けて、フラッシュメモリ２４０に記憶する。
【００３２】
テーマが受け付けられると（ステップＳ１０２）、スマートフォン２０のＣＰＵ２１０は、表示部２０５にコンテンツの再生方法、再生パターン、再生言語（以下これらをまとめて、再生方法等ともいう）を受け付けるための再生方法等受付画面ＰＷを表示して、コンテンツの再生方法等を受け付ける（ステップＳ１０３）。
【００３３】
図４は、再生方法等受付画面ＰＷの一例を示す図である。再生方法等受付画面ＰＷは、再生方法リストＰＤと、再生パターンリストＰＰと、再生言語リストＰＬと、決定ボタンＰＢとを含んでいる。スマートフォン２０のユーザは、再生方法リストＰＤからコンテンツの再生方法を、再生パターンリストＰＰからコンテンツの再生パターンを、再生言語リストＰＬからコンテンツを再生するための言語を選択する。再生方法等が受け付けられると、スマートフォン２０のＣＰＵ２１０は、その再生方法等をフラッシュメモリ２４０に記憶する。
【００３４】
テーマおよび再生方法等を受け付けると、スマートフォン２０のＣＰＵ２１０は、取得部２１１の処理として、サーバ５０にコンテンツの配信を要求する（ステップＳ１０４）。具体的には、ＣＰＵ２１０は、ステップＳ１０２およびステップＳ１０３で受け付けたテーマ（キーワードを含む）や再生方法をフラッシュメモリ２４０から読み出してサーバ５０に送信し、テーマに対応するコンテンツを再生方法に応じて配信することを要求する。
【００３５】
スマートフォン２０のＣＰＵ２１０は、次に、ＧＰＳ受信機２０７により取得されたユーザ（スマートフォン２０）の現在位置に関する位置情報を、サーバ５０に送信する（ステップＳ１０５）。
【００３６】
スマートフォン２０のＣＰＵ２１０からテーマおよび再生方法を受信すると（ステップＳ２０２：Ｙｅｓ）、サーバ５０の制御部５１は、受信したテーマに対応するコンテンツをコンテンツＤＢ５６から検索する（ステップＳ２０３）。
【００３７】
図５は、コンテンツＤＢ５６の一例を示す図である。図５に示すように、コンテンツＤＢ５６には、位置情報を含むもの（図５中、丸印で示したコンテンツ）や、リンク先を示すもの（図５中、星印で示したコンテンツ）等、種々のコンテンツが、テーマに対応づけられて記憶されている。サーバ５０の制御部５１は、例えば、スマートフォン２０のＣＰＵ２１０から、テーマ「株」が送信された場合には、テーマ「株」に対応するコンテンツ「日経平均」「ＮＹダウ」「上海総合」を検索する。また、キーワード入力フィールドＫＦに、「ａｂｃグループ」が入力されている場合には、制御部５１は、コンテンツＤＢ５６の中から「ａｂｃグループ」（図５中、ハッチングが付されているコンテンツ）を検索する。
【００３８】
コンテンツを検索すると、サーバ５０の制御部５１は、検索したコンテンツを、再生方法に応じてスマートフォン２０に配信する（ステップＳ２０４）。具体的には、ステップＳ２０２において、テーマとして「株」を、再生方法として「シーケンシャル」を受信した場合、サーバ５０の制御部５１は、コンテンツ「日経平均」、「ＮＹダウ」、「上海総合」の順で、スマートフォン２０へ配信する。また、サーバ５０の制御部５１は、コンテンツの中にスマートフォン２０から送信された位置情報に対応するコンテンツがある場合には、位置情報に対応するコンテンツを、現在配信しているコンテンツにかかわらず優先して配信してもよい。
【００３９】
コンテンツをサーバ５０から取得すると、スマートフォン２０のＣＰＵ２１０は、再生部２１２の処理として、取得したコンテンツに基づいてコンテンツを再生する（ステップＳ１０７）。具体的には、サーバ５０からコンテンツとしてコンテンツそのものを取得した場合には、スマートフォン２０のＣＰＵ２１０は、再生部２１２の処理として、そのコンテンツを再生パターンに応じて変換して再生する。例えば、再生パターンとして「テキスト」が選択されている場合には、スマートフォン２０のＣＰＵ２１０は、取得したコンテンツをテキスト形式で表示部２０５に表示して再生する。再生パターンとして「音声」が選択されている場合、スマートフォン２０のＣＰＵ２１０は、受信したコンテンツを音声に変換して、スピーカから出力して再生する。また、サーバ５０からコンテンツの記憶されているアドレスを取得した場合には、スマートフォン２０のＣＰＵ２１０は、該当するアドレスへアクセスしそのアドレスに対応する他のサーバ等からコンテンツを取得する。ＣＰＵ２１０は、取得したリンク先のコンテンツを、再生パターンに応じてテキストとして、または音声に変換して再生する。
【００４０】
スマートフォン２０のＣＰＵ２１０は、ユーザからコンテンツ再生の終了指示がされない場合には（ステップＳ１０８：Ｎｏ）、ステップＳ１０５からステップＳ１０７を繰り返し実行する。すなわち、スマートフォン２０のＣＰＵ２１０は、位置情報をサーバ５０に送信し、サーバ５０から配信されたコンテンツを取得して間断なく再生し続ける。
【００４１】
一方、ユーザからコンテンツ再生の終了指示を受付た場合には（ステップＳ１０８：Ｙｅｓ）、スマートフォン２０のＣＰＵ２１０は、サーバ５０にコンテンツ配信の終了を要求する（ステップＳ１０９）。コンテンツ配信の終了要求を受信したサーバ５０の制御部５１は、コンテンツの配信を停止する（ステップＳ２０５：Ｙｅｓ）。以上のようにして、一連のコンテンツ提供処理が終了する。
【００４２】
図６は、コンテンツ提供処理が実行されている様子の一例を示す図である。図６には、スマートフォン２０に、テーマとして「賃貸」、再生方法として「テキスト」、再生パターンとして「シーケンシャル」、再生言語として「日本語」が受け付けられている場合において、ユーザ４０が、スマートフォン２０に配信されるコンテンツを視聴する様子を示している。図６の表示部２０５には、配信されたコンテンツに基づくコンテンツが表示されている。図５に示したように、テーマ「賃貸」には「部屋探し○△サイト」や「賃貸価格」「空き室情報」等の種々のコンテンツが紐付けられている。スマートフォン２０のＣＰＵ２１０はこれらのコンテンツを順にサーバ５０から取得して、表示部２０５にテキスト形式で再生する。図５に示すように、「賃貸価格」、「空き室情報」は位置情報を含むものであるため、図６に示すようにユーザ４０の現在位置に対応する「賃貸価格」や「空き室情報」が表示部２０５に表示される。
【００４３】
以上で説明した本実施形態のコンテンツ提供システム１０では、スマートフォン２０のユーザは、テーマリストＴＬの中からテーマを選択する。テーマは複数のコンテンツに紐付けられているので、ユーザは選択したテーマに対応する複数のコンテンツの提供を受けることができる。そのため、複数のコンテンツを選択する手間を省くことができる。また、コンテンツＤＢ５６は、コンテンツとして、コンテンツそのもののみではなく、アドレスを記憶しておくこともできる。そのため、サーバ５０に全てのコンテンツを記憶しなくともよいため、サーバ５０の記憶領域を有効に活用することができる。また、スマートフォン２０がコンテンツとして提供されたアドレスに直接通信して、コンテンツを取得することができるため、サーバ５０とスマートフォン２０との間の通信負荷を抑制することができる。
【００４４】
また、本実施形態では、ユーザが選択した再生パターンに応じて次々と配信される複数のコンテンツに基づいてコンテンツが間断なく再生されるので、ユーザはコンテンツの提供を受け続けることができる。そのため、ユーザは、例えば暇つぶしとしてコンテンツを視聴し続けたい場合等に、選択したテーマに関連するコンテンツの提供を受け続けることが可能となる。つまり、コンテンツ提供システム１０は、ユーザに対し、放送局のように間断なくコンテンツを提供しつづけることができる。また、スマートフォン２０のＣＰＵ２１０は、例えばユーザの属性情報等のキーワードを受け付けた場合には、そのキーワードに対応するコンテンツをサーバ５０から取得して再生する。そのため、ユーザは、ユーザが選択したテーマに対応するコンテンツの提供を受け続けるとともに、ユーザの嗜好に沿ったコンテンツの提供を受けることができる。
【００４５】
さらに、本実施形態では、サーバ５０の制御部５１は、スマートフォン２０から送信された位置情報に対応するコンテンツがある場合には、位置情報に対応するコンテンツを優先して配信することもできる。そのため、ユーザは、コンテンツを視聴し続けながらも、ユーザの現在位置に応じたコンテンツの提供を受けることが可能となる。よって、ユーザは、暇つぶしとしてコンテンツの提供を受け続けながらも、その地点において必要なコンテンツの提供を受けることが可能となる。また、コンテンツＤＢ５６が更新されたことが確認された場合には、サーバ５０の制御部５１は、更新されたコンテンツを他のコンテンツに優先して配信することができる。そのため、ユーザは、コンテンツを視聴し続けながらも、更新されたコンテンツの提供をいち早く受けることが可能となる。
【００４６】
Ｂ．変形例：
以上、本発明の実施形態について説明したが、本発明はこのような実施形態に限定されず、その趣旨を逸脱しない範囲で種々の構成を採ることができる。例えば、ソフトウェアによって実現した機能は、ハードウェアによって実現するものとしてもよい。そのほか、以下のような変形が可能である。
【００４７】
Ｂ１．変形例１：
上述の実施形態において、サーバ５０の制御部５１は、コンテンツの更新が確認された場合には、更新されたコンテンツの情報を他のコンテンツに優先してスマートフォン２０に配信することとしているが、サーバ５０は、現在配信しているコンテンツを続けて配信するとともに、更新されたコンテンツが存在する旨の通知をスマートフォン２０に送信してもよい。また、サーバ５０の制御部５１は、スマートフォン２０から送信された位置情報に対応するコンテンツが存在する場合には、現在配信しているコンテンツを続けて配信するとともに、位置情報に対応するコンテンツが存在する旨の通知をスマートフォン２０に送信してもよい。こうすることで、ユーザは好みのタイミングで、コンテンツの提供を受けることが可能となる。
【００４８】
Ｂ２．変形例２：
上述の実施形態において受け付けられるテーマは、複数であってもよい。また、スマートフォン２０のＣＰＵ２１０は、テーマおよびキーワードの双方を受け付けるものとしてもよい。
【００４９】
Ｂ３．変形例３：
上述の実施形態において、キーワード入力フィールドＫＦにキーワードが入力された場合には、スマートフォン２０の取得部２１１は、キーワードに対応するコンテンツを取得しているが、キーワードに紐付けられたテーマに対応するコンテンツを全て取得することとしてもよい。
【００５０】
Ｂ４．変形例４：
上述の実施形態において、スマートフォン２０は、配信されるコンテンツに基づいてコンテンツを次々に再生しているが、コンテンツの再生を一時的に中断したり、現在再生しているコンテンツをスキップして再生してもよい。例えば、表示部２０５に一時停止ボタンや再開ボタン、スキップボタン等を表示させる。スマートフォン２０のユーザにより一時停止ボタンが押下された場合に、スマートフォン２０のＣＰＵ２１０は、その時点で再生されていたコンテンツをフラッシュメモリ２４０に記憶する。そして、次にユーザにより再開ボタンが押下された場合に、スマートフォン２０のＣＰＵ２１０は、フラッシュメモリ２４０に記憶されたコンテンツやそれに関する情報をサーバ５０に送信して、一時停止した箇所の続きからコンテンツの配信を要求することとしてもよい。また、スマートフォン２０のユーザ４０によりスキップボタンが押下された場合に、スマートフォン２０のＣＰＵ２１０は、現在再生しているコンテンツの次のコンテンツの配信をサーバ５０に要求することとしてもよい。こうすることで、スマートフォン２０のユーザは、好みのタイミングで好みのコンテンツの提供を受け続ける事が可能となる。
【００５１】
Ｂ５．変形例５：
上述の実施形態において、スマートフォン２０のＣＰＵ２１０は、テーマリストＴＬをサーバ５０から受信しているが、テーマリストＴＬは、あらかじめスマートフォン２０のフラッシュメモリ２４０に記憶しておくこととしてもよい。
【００５２】
Ｂ６．変形例６：
上述の実施形態において、スマートフォン２０は、タッチパネル２０４を介してユーザからの操作を受け付けるが、十字キーやテンキーなどの種々の操作ボタンを備え、それらの操作ボタンを介してユーザからの操作を受け付けることとしてもよい。すなわち、スマートフォン２０は、タッチパネルと十字キー、テンキーとが並列的に操作されるものであってもよいし、タッチパネルに換えて十字キーやテンキーによって操作されるものであってもよい。
【００５３】
Ｂ７．変形例７：
上述の実施形態において、携帯端末としてスマートフォン２０を用いているが、携帯端末としては、その他にもパーソナルコンピュータ、タブレット端末、ＰＮＤ（Ｐｏｒｔａｂｌｅ  Ｎａｖｉｇａｔｉｏｎ  Ｄｅｖｉｃｅ）、ＰＤＡ（Ｐｅｒｓｏｎａｌ  Ｄｉｇｉｔａｌ  Ａｓｓｉｓｔａｎｔｓ）、携帯ゲーム機などの個人用の携帯端末や、カーナビゲーション端末を用いることとしてもよい。
【００５４】
本発明は、上述の実施形態や変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００５５】
１０…コンテンツ提供システム
２０…スマートフォン
４０…ユーザ
５０…サーバ
５１…制御部
５２…通信部
５３…更新確認部
５５…記憶部
５６…コンテンツＤＢ
２０１…無線ＬＡＮ通信部
２０２…移動体通信網通信部
２０３…音声通信部
２０４…タッチパネル
２０５…表示部
２１０…ＣＰＵ
２１１…取得部
２１２…再生部
２２０…ＲＡＭ
２３０…ＲＯＭ
２４０…フラッシュメモリ
ＴＢ、ＰＢ…決定ボタン
ＫＦ…キーワード入力フィールド
ＴＬ…テーマリスト
ＰＬ…再生言語リスト
ＰＤ…再生方法リスト
ＰＰ…再生パターンリスト
ＢＳ…通信キャリア
ＴＷ…テーマ受付画面
ＰＷ…再生方法等受付画面
ＩＮＴ…インターネット
【図１】
2014021939.tif 000003
【図２】
2014021939.tif 000004
【図３】
2014021939.tif 000005
【図４】
2014021939.tif 000006
【図５】
2014021939.tif 000007
【図６】
2014021939.tif 000008